(57)【要約】  本発明は、ホルダー、前記ホルダーに装着された測定部品、及び前記ホルダーに取り外し可能に接続された筐体、を含むレーザー測距装置を提供し、前記筐体は、第一のケーシングを含む。前記第一のケーシングは、前記ホルダーの外側の取り外し可能なスリーブとされる一体的に形成された管状構造体である。本発明の利点は、ホルダー上に測定コンポーネントを固定装着し、前記ホルダーの外側上に取り外し可能なケーシングを備え付けるためのレーザー測距装置を提供することであり、それによって、前記ケーシングの分解及び組立時に、前記測定コンポーネントの位置が動かず、前記測定部品の測距精度が影響を受けないことが確保される。前記ケーシングは、複数の単純なコンポーネントから構成されており、前記ケーシング部品の加工の困難さを効果的に低減することができる。一方、前記ケーシングの組立及び分解は、単純で都合が良く、製造効率が効果的に向上し、製造コストが低減され、生産性が高められる。前記レーザー測距装置は、小サイズであり、コンパクトな構造であり、占有空間が低減されており、ユーザーによる運搬が容易であり、並びに良好な耐ショック性能及び手触りを有する。
2021502567.tif 000002
【特許請求の範囲】
【請求項１】
ホルダーと、
前記ホルダーに装着された測定部品と、
前記ホルダーに取り外し可能に接続された筐体、
を備え、
前記筐体は、第一のケーシングを含み、
前記第一のケーシングは、前記ホルダーの外側の取り外し可能なスリーブとして一体的に形成された管状構造体である、
レーザー測距装置。
【請求項２】
前記筐体が、さらに、前記第一のケーシングの両端部にそれぞれ取り外し可能に接続された第二のケーシング及び第三のケーシングを備える、
請求項１に記載のレーザー測距装置。
【請求項３】
前記第一のケーシングの両端部が、それぞれ、第一の開口部及び第二の開口部を備え、
前記第二のケーシングが、前記第一のケーシングの前記第一の開口部に取り外し可能に装着されており、
前記ホルダーの一方の端部が、前記第二の開口部を介して前記第一のケーシングに挿入され、
前記ホルダーの他方の端部は、前記第二の開口部の外側まで延び、
前記ホルダーは、前記第三のケーシングに取り外し可能に接続されている、
請求項２に記載のレーザー測距装置。
【請求項４】
前記ホルダーの外部側壁上に備えられた溝部と、
前記第一のケーシングの内部側壁から突出して、前記溝部にスライド可能に挿入されているリブ、
をさらに備える、
請求項１に記載のレーザー測距装置。
【請求項５】
前記ホルダーの形状が、細長形状であり、
前記筐体の形状が、まっすぐな円筒形状である、
請求項１に記載のレーザー測距装置。
【請求項６】
前記ホルダーが、
前記第二のケーシングに対向して配置された第一の装着用溝部と
前記第三のケーシングに対向して配置された第二の装着用溝部、
を備える、
請求項２に記載のレーザー測距装置。
【請求項７】
前記ホルダーに装着されたディスプレイデバイスと、
前記ホルダーに装着されたボタンスイッチ、
をさらに備え、
前記ディスプレイデバイス及び前記ボタンスイッチは、前記測定部品及び／又は少なくとも１つの電池と配線を通して接続されている、
請求項１に記載のレーザー測距装置。
【請求項８】
前記ホルダーが、
前記ディスプレイデバイスを装着するための前記ホルダーの側壁上の凹んだ第三の装着用溝部と
前記ボタンスイッチを備え付けるための前記ホルダーの側壁上の凹んだ第四の装着用溝部、
を含み、
前記第一のケーシングが、
第一のケーシング本体と、
前記第一のケーシング本体の一方の側の表面上の凹んだ第一の溝部と、
前記第一の溝部の底面を貫通しており、前記ディスプレイデバイスに対向して配置された第一の貫通孔と
前記第一の溝部の前記底面を貫通しており、前記ボタンスイッチの一部分によって貫通されている第二の貫通孔、
を含む、
請求項７に記載のレーザー測距装置。
【請求項９】
前記第一の溝部に装着され、前記第一の貫通孔に対向して配置された部分を有する透明カバーと、
前記透明カバーの一方の端部を貫通し、前記第二の貫通孔に対向して配置されたカバー貫通孔、
をさらに備え、
前記第二の貫通孔及び前記カバー貫通孔は、前記ボタンスイッチの一部分によって順に貫通されている、
請求項８に記載のレーザー測距装置。
【請求項１０】
前記測定部品が、
前記第一のケーシングの前記第一の開口部に向いている第一のレーザーポートを有するレーザー発生デバイスと、
前記第一のケーシングの前記第一の開口部に向いている第二のレーザーポートを有する光電変換デバイス、
を含み、
前記第二のケーシングが、
第二のケーシング本体と、
前記第二のケーシング本体を貫通しており、前記第一のレーザーポートに対向して配置された第三の貫通孔と
前記第二のケーシング本体を貫通しており、前記第二のレーザーポートに対向して配置された第四の貫通孔、
を含む、
請求項２に記載のレーザー測距装置。
【請求項１１】
前記第二のケーシングが、
前記第二のケーシング本体の一方の側の表面から突出し、前記第一のケーシングの前記第一の開口部にロックされた第一のロッキングブロックと、
前記第一のロッキングブロック上に備えられた差し込み部であって、前記第一のケーシングの前記リブの一方の端部が前記差し込み部に取り外し可能にロックされている、差し込み部と、
前記第一のロッキングブロック及び前記第二のケーシング本体によって囲まれ、形成された第二の溝部であって、前記測定部品の前端部が前記第二の溝部に挿入されている、第二の溝部、
を含む、
請求項２に記載のレーザー測距装置。
【請求項１２】
前記ホルダーの前端部に備えられ、前記第二のケーシングに対向して配置されたホルダーネジ孔と、
前記第二のケーシング本体を貫通しており、前記ホルダーネジ孔に対向して配置された第五の貫通孔と、
前記第五の貫通孔を通して前記ホルダーネジ孔に接続されているネジ、
をさらに備える、
請求項２に記載のレーザー測距装置。
【請求項１３】
前記第一のケーシングの前端部の内部側壁上に、又は前記ホルダーの前記前端部上に備えられたロッキング溝部と、
前記第二のケーシング本体の一方の側の表面から突出し、前記ロッキング溝部にロックされた第二のロッキングブロック、
をさらに備える、
請求項２に記載のレーザー測距装置。
【請求項１４】
前記第三のケーシングが、
第三のケーシング本体と、
前記第三のケーシング本体の一方の側に、ノッチ方向が前記第一のケーシングに向くように配置された第三の溝部と、
一方の端部が前記第三の溝部の底に接続され、他方の端部が前記ホルダー中の電池に接続されている弾性部材、
を含む、
請求項２に記載のレーザー測距装置。
【請求項１５】
前記第三のケーシングが、
第三のケーシング本体と、
前記第三のケーシング本体の一方の側に、ノッチ方向が前記第一のケーシングに向くように備えられた第三の溝部と、
一方の端部が前記ホルダー中の電池と直列に接続されている、前記第三の溝部に取り外し可能に装着された第二の電池と、
一方の端部が前記第三の溝部の底に接続され、他方の端部が前記第二の電池に接続されている弾性部材、
を含む、
請求項２に記載のレーザー測距装置。
【請求項１６】
前記第三の溝部の前記ノッチに備えられた雌型コネクタと、
前記ホルダーの一方の端部から突出し、前記雌型コネクタに取り外し可能に接続されている雄型コネクタと、
前記雄型コネクタ中に配置され、前記第二の装着用溝部と連結しているコネクタキャビティ、
をさらに備える、
請求項１４又は請求項１５に記載のレーザー測距装置。
【請求項１７】
前記筐体の外部表面を部分的に又は完全に覆うシースをさらに含む、
請求項１に記載のレーザー測距装置。
【請求項１８】
筐体を備えたレーザー測距装置であって、
前記筐体の２つ以上の断面の形状及びサイズが同じであり、
前記筐体の前記断面の形状として、円形、楕円形、丸みを帯びた三角形、丸みを帯びた四角形、又は丸みを帯びた多角形が挙げられる、
レーザー測距装置。
【請求項１９】
前記筐体の断面高さが、１４〜２２ｍｍの範囲内であり；
前記筐体の断面幅が、１８〜２５ｍｍの範囲内である、
請求項１８に記載のレーザー測距装置。
【請求項２０】
前記筐体の前記断面が円形である場合、
前記筐体の前記断面の直径は、１８〜２８ｍｍの範囲内であり、
前記筐体の前記断面が、楕円形、丸みを帯びた三角形、丸みを帯びた四角形、又は丸みを帯びた多角形である場合、
前記筐体の前記断面の内接円の直径は、１８〜２０ｍｍの範囲内であり、及び
前記筐体の前記断面の外接円の直径は、２０〜２８ｍｍの範囲内である、
請求項１８に記載のレーザー測距装置。
【請求項２１】
測定部品とディスプレイデバイスとから構成される測定ディスプレイ部品、をさらに備え、
前記測定ディスプレイ部品の断面高さが、１０〜１２ｍｍの範囲内であり、
前記測定ディスプレイ部品の断面幅が、１５〜１７ｍｍの範囲内であり、
前記測定ディスプレイ部品の長さが、３９〜４５ｍｍの範囲内である、
請求項１８に記載のレーザー測距装置。
【請求項２２】
前記測定ディスプレイ部品の前記断面幅の前記筐体の前記断面幅に対する比が、０．６〜０．８であり、
前記測定ディスプレイ部品の前記断面高さの前記筐体の前記断面高さに対する比が、０．６〜０．８であり、
前記測定ディスプレイ部品の断面積の前記筐体の断面積に対する比が、０．６７〜０．８の範囲内である、
請求項２１に記載のレーザー測距装置。
【請求項２３】
前記筐体中に配置された電池、をさらに含み、
前記電池は、ボタン電池又は円筒型電池が挙げられ、
前記電池がボタン電池である場合、前記筐体の長さは、６０〜７０ｍｍの範囲内であり、
前記電池が円筒型電池である場合、前記筐体の長さは、９５〜１５０ｍｍの範囲内である、
請求項１８に記載のレーザー測距装置。
【請求項２４】
前記筐体の材料が、アルミニウム合金、プラスチック、ナイロン材料、又は炭素繊維材料である、
請求項１８に記載のレーザー測距装置。
【発明の詳細な説明】
【技術分野】
【０００１】
本発明は、測定ツールの分野に関し、詳細には、レーザー測距装置に関する。
【背景技術】
【０００２】
レーザー距離計は、一般的な非接触測距ツールであり、建築、室内装飾、交通事故処理などの分野に用いることができる。先行技術のレーザー距離計は、一般的に、コアアセンブリをケーシング中に直接一体化している。前記レーザー距離計の前記コアアセンブリは、組立プロセスにおいて高い精度が要求される精密コンポーネントである。前記レーザー距離計の製造又はメンテナンスは、専門家によって行われる必要があり、各アセンブリは、使用時の測距精度を確保するために、検査及び精度調節が必要であり、このことは、製品の製造効率という点で低く、再加工作業時において問題となる。普通のユーザーにとって、精度の検査及び調節を行うことは困難であるため、前記レーザー距離計を、普通のユーザーが分解し、修理することはできない。そうした場合、前記測距精度が影響を受け、誤差が大きくなってしまう。
【０００３】
加えて、前記レーザー距離計の前記コアアセンブリ及び他のコンポーネントは、ほとんどが不規則な形状のコンポーネントであり、前記ケーシングは、様々なコンポーネントに対して適する形状となるような複数の部品装着用溝部を有するように構成されることが必要である。前記ケーシングの製造プロセスは複雑であり、製造コストは高く、製造効率は低く、生産性は、ある特定の程度に限定される。
【発明の概要】
【発明が解決しようとする課題】
【０００４】
本発明の目的は、先行技術の前記レーザー測距装置の前記ケーシングの不都合な組立の問題、前記ケーシングの複雑なプロセス、高い製造コスト、及び低い製造効率を解決するレーザー測距装置を提供することである。
【課題を解決するための手段】
【０００５】
上記の技術的問題点を解決するために、本発明は、ホルダー、前記ホルダーに装着された測定部品、及び前記ホルダーに取り外し可能に接続された筐体、を含むレーザー測距装置を提供し、前記筐体は、第一のケーシングを含み、前記第一のケーシングは、前記ホルダーの外側の取り外し可能なスリーブとされる一体的に形成された管状構造体である。
【０００６】
さらに、様々な実施形態では、前記筐体は、さらに、前記第一のケーシングの両端部にそれぞれ取り外し可能に接続された第二のケーシング及び第三のケーシングを含む。
【０００７】
さらに、様々な実施形態では、前記第一のケーシングの両端部は、それぞれ、第一の開口部及び第二の開口部を備え、前記第二のケーシングは、前記第一のケーシングの前記第一の開口部に取り外し可能に装着され、前記ホルダーの一方の端部は、前記第二の開口部を介して前記第一のケーシングに挿入され、前記ホルダーの他方の端部は、前記第二の開口部の外側まで延び、前記第三のケーシングに取り外し可能に接続されている。
【０００８】
さらに、様々な実施形態では、前記レーザー測距装置は、さらに、前記ホルダーの外部側壁上に備えられた溝部、及び前記第一のケーシングの内部側壁から突出して、前記溝部にスライド可能に挿入されているリブ、を含む。
【０００９】
さらに、様々な実施形態では、前記ホルダーの形状は、細長形状であり、前記筐体の形状は、まっすぐな円筒形状である。
【００１０】
さらに、様々な実施形態では、前記ホルダーは、前記第二のケーシングに対向して配置された第一の装着用溝部、及び前記第三のケーシングに対向して配置された第二の装着用溝部を含む。
【００１１】
さらに、様々な実施形態では、前記レーザー測距装置は、前記ホルダーに装着されたディスプレイデバイス、及び前記ホルダーに装着されたボタンスイッチをさらに含み、前記ディスプレイデバイス及び前記ボタンスイッチは、前記測定部品及び／又は少なくとも１つの電池と配線を通して接続されている。
【００１２】
さらに、様々な実施形態では、前記ホルダーは、前記ディスプレイデバイスを装着するための前記ホルダーの側壁上の凹んだ第三の装着用溝部；及び前記ボタンスイッチを装着するための前記ホルダーの側壁上の凹んだ第四の装着用溝部、を含み；前記第一のケーシングは、第一のケーシング本体；前記第一のケーシング本体の一方の側の表面上の凹んだ第一の溝部；前記第一の溝部の底面を貫通しており、前記ディスプレイデバイスに対向して配置された第一の貫通孔；及び前記第一の溝部の前記底面を貫通しており、前記ボタンスイッチの一部分によって貫通されている第二の貫通孔、を含む。
【００１３】
さらに、様々な実施形態では、前記レーザー測距装置は、前記第一の溝部に装着され、前記第一の貫通孔に対向して配置された部分を有する透明カバー；及び前記透明カバーの一方の端部を貫通し、前記第二の貫通孔に対向して配置されたカバー貫通孔、をさらに含み、前記第二の貫通孔及び前記カバー貫通孔は、前記ボタンスイッチの一部分によって順に貫通されている。
【００１４】
さらに、様々な実施形態では、前記測定部品は、前記第一のケーシングの前記第一の開口部に向いている第一のレーザーポートを有するレーザー発生デバイス；及び前記第一のケーシングの前記第一の開口部に向いている第二のレーザーポートを有する光電変換デバイス、を含み、前記第二のケーシングは、第二のケーシング本体；前記第二のケーシング本体を貫通しており、前記第一のレーザーポートに対向して配置された第三の貫通孔；及び前記第二のケーシング本体を貫通しており、前記第二のレーザーポートに対向して配置された第四の貫通孔、を含む。
【００１５】
さらに、様々な実施形態では、前記第二のケーシングは、前記第二のケーシング本体の一方の側の表面から突出し、前記第一のケーシングの前記第一の開口部にロックされた第一のロッキングブロック；前記第一のロッキングブロック上に備えられた差し込み部であって、前記第一のケーシングの前記リブの一方の端部が前記差し込み部に取り外し可能にロックされている、差し込み部；前記第一のロッキングブロック及び前記第二のケーシング本体によって囲まれ、形成された第二の溝部であって、前記測定部品の前端部が前記第二の溝部に挿入されている、第二の溝部、を含む。
【００１６】
さらに、様々な実施形態では、前記レーザー測距装置は、前記ホルダーの前端部に配置され、前記第二のケーシングに対向して配置されたホルダーネジ孔；及び前記第二のケーシング本体を貫通し、前記ホルダーネジ孔に対向して配置された第五の貫通孔；及び前記第五の貫通孔を通して前記ホルダーネジ孔に接続されているネジ、をさらに含む。
【００１７】
さらに、様々な実施形態では、前記レーザー測距装置は、第一のケーシングの前端部又は前記ホルダーの前端部の内部前壁上に備えられたロッキング溝部；及び前記第二のケーシング本体の一方の側の表面から突出し、前記ロッキング溝部にロックされた第二のロッキングブロック、をさらに含む。
【００１８】
さらに、様々な実施形態では、前記第三のケーシングは、第三のケーシング本体；前記第三のケーシング本体の一方の側の表面に、ノッチ方向が前記第一のケーシング本体に向くように備えられた第三の溝部；及び一方の端部が前記第三の溝部の底に接続され、他方の端部が前記ホルダー中の電池に接続されている弾性部材、を含む。
【００１９】
さらに、様々な実施形態では、前記第三のケーシングは、第三のケーシング本体；前記第三のケーシング本体の一方の側の表面に、ノッチ方向が前記第一のケーシングに向くように備えられた第三の溝部；一方の端部が前記ホルダー中の前記電池と直列に接続されている、前記第三の溝部に取り外し可能に装着された第二の電池；及び一方の端部が前記第三の溝部の底に接続され、他方の端部が前記第二の電池に接続されている弾性部材、を含む。
【００２０】
さらに、様々な実施形態では、前記レーザー測距装置は、前記第三の溝部の前記ノッチに備えられた雌型コネクタ；前記ホルダーの一方の端部から突出し、前記雌型コネクタに取り外し可能に接続されている雄型コネクタ；及び前記雄型コネクタ中に配置され、前記第二の装着用溝部と連結しているコネクタキャビティ、をさらに含む。
【００２１】
さらに、様々な実施形態では、前記レーザー測距装置は、前記筐体の外部表面を部分的に又は完全に覆うシースをさらに含む。
【００２２】
本発明の別の目的は、大きい体積、大きい占有スペース、及び不便な携帯性などの先行技術のレーザー測距装置の問題点を解決するためのレーザー測距装置を提供することである。
【００２３】
上記の技術的問題点を解決するために、本発明は、筐体を備えたレーザー測距装置を提供し、前記筐体の２つ以上の断面の形状及びサイズが同じであり、前記筐体の前記断面形状としては、円形、楕円形、丸みを帯びた三角形、丸みを帯びた四角形、又は丸みを帯びた多角形が挙げられる。
【００２４】
さらに、様々な実施形態では、前記筐体は、１４〜２２ｍｍの範囲内の断面高さを有し、及び前記筐体は、１８〜２５ｍｍの範囲内の断面幅を有する。
【００２５】
さらに、様々な実施形態では、前記筐体の断面が円形である場合、前記筐体の断面の直径は、１８〜２８ｍｍの範囲内であり、前記筐体の断面が楕円形、丸みを帯びた三角形、丸みを帯びた四角形、又は丸みを帯びた多角形である場合、前記筐体の断面の内接円の直径は、１８〜２０ｍｍの範囲内であり、前記筐体の断面の外接円の直径は、２０〜２８ｍｍの範囲内である。
【００２６】
さらに、様々な実施形態では、前記レーザー測距装置は、測定部品とディスプレイデバイスとから構成される測定ディスプレイ部品をさらに含み、前記測定ディスプレイ部品の断面高さは、１０〜１２ｍｍの範囲内であり、測定ディスプレイ部品の断面幅は、１５〜１７ｍｍの範囲内であり、前記測定ディスプレイ部品の長さは、３９〜４５ｍｍの範囲内である。
【００２７】
さらに、様々な実施形態では、前記測定ディスプレイ部品の断面幅の前記筐体の断面幅に対する比は、０．６〜０．８の範囲内であり、前記測定ディスプレイ部品の断面高さの前記筐体の断面高さに対する比は、０．６〜０．８の範囲内であり、前記測定ディスプレイ部品の断面積の前記筐体の断面積に対する比は、０．６７〜０．８の範囲内である。
【００２８】
さらに、様々な実施形態では、前記レーザー測距装置は、前記筐体中に配置された電池をさらに含み、前記電池としては、ボタン電池又は円筒型電池が挙げられ、前記電池がボタン電池である場合、前記筐体の長さは、６０〜７０ｍｍの範囲内であり、前記電池が円筒型電池である場合、前記筐体の長さは、９５〜１５０ｍｍの範囲内である。
【００２９】
さらに、様々な実施形態では、前記筐体の材料は、アルミニウム合金、プラスチック、ナイロン材料、又は炭素繊維材料である。
【００３０】
本発明の利点は、ホルダー上に測定コンポーネントを固定装着し、前記ホルダーの外側上に取り外し可能なケーシングを備え付ける、レーザー測距装置を提供することであり、それによって、前記ケーシングの分解及び組立時に、前記測定コンポーネントの位置が動かず、前記測定部品の測距精度が影響を受けないことが保証される。前記レーザー測距装置の前記ケーシングは、単純な形状の複数のコンポーネントから構成されており、前記ケーシングコンポーネントの加工の困難さを効果的に低減することができる。一方、前記ケーシングの組立及び分解は、単純で便利であり、製造効率が向上し、製造コストが低減され、生産性が高められる。前記レーザー測距装置は、小サイズであり、コンパクトな構造であり、占有空間が低減されており、ユーザーによる運搬が容易であり、並びに良好な耐ショック性能及び手触りを有する。
【図面の簡単な説明】
【００３１】
【図１】図１は、本発明の第１実施形態の全体構造の模式図である。
【図２】図２は、前記第一のケーシングを取り外した後の本発明の第１実施形態の前面構造図である。
【図３】図３は、前記第一のケーシングを取り外した後の本発明の第１実施形態の左面構造図である。
【図４】図４は、本発明の第１実施形態の断面構造図である。
【図５】図５は、本発明の第１実施形態のホルダーの構造図である。
【図６】図６は、前記筐体を取り外した後の本発明の第１実施形態の構造図である。
【図７】図７は、前記筐体を取り外した後の本発明の第１実施形態の測定部品の構造図である。
【図８】図８は、前記筐体を取り外した後の本発明の第１実施形態の電池部分の構造図である。
【図９】図９は、本発明の第１実施形態の第一のケーシング及びディスプレイデバイスの分解構造図である。
【図１０】図１０は、本発明の第１実施形態の第二のケーシング及び前記第一のケーシングの分解構造図である。
【図１１】図１１は、本発明の第１実施形態の前記第二のケーシングの構造図である。
【図１２】図１２は、本発明の第１実施形態の第三のケーシングの構造図である。
【図１３】図１３は、本発明の第１実施形態の前記第三のケーシング及び前記第一のケーシングの分解構造図である。
【図１４】図１４は、本発明の第２実施形態の前記第二のケーシングの構造図である。
【図１５】図１５は、本発明の第２実施形態の部分構造の断面図である。
【図１６】図１６は、本発明の第３実施形態の全体構造の模式図である。
【図１７】図１７は、本発明の第３実施形態の部分構造の模式的断面図である。
【符号の説明】
【００３２】
１  ホルダー、２  測定部品、３  筐体、４  電池、５  ディスプレイデバイス、６  ボタンスイッチ；
７  シース、８  第二の電池；
１１  第一の装着用溝部、１２  第二の装着用溝部、１３  第三の装着用溝部、１４  第四の装着用溝部、１５  溝部；
１６  雄型コネクタ、１７  コネクタキャビティ、１８  ホルダーネジ孔；
２１  コアアセンブリ、２２  レーザー発生デバイス、２３  光電変換デバイス；
３１  第一のケーシング、３２  第二のケーシング、３３  第三のケーシング、３４  透明カバー、
３５  第一の開口部、３６  第二の開口部、３７  ホルダーバッフル、３８  ネジ；
６１  スイッチベース、６２  ボタン、６３  スイッチ接触部；
１２１  金属接触部、１２２  金属リング、１２３  バス；
２２１  第一のレーザーポート、２２２  第二のレーザーポート；
３１１  リブ、３１２  第一の溝部、３１３  第一の貫通孔、３１４  第二の貫通孔、
３２１  第二のケーシング本体、３２２  第三の貫通孔、３２３  第四の貫通孔、３２４  第一のロッキングブロック、
３２５  第二の溝部、３２６  差し込み部、３２７  ロッキング溝部、３２８  第二のロッキングブロック、３２９  第五の貫通孔；
３３１  第三のケーシング本体、３３２  第三の溝部、３３３  弾性部材、３３４  雌型コネクタ、３４１  カバー貫通孔
【発明を実施するための形態】
【００３３】
本発明の好ましい実施形態を、当業者にとって完全な記載となるように、添付の図面を参照して以下に記載し、その技術的内容は、より明らかに及びより容易に理解される。本発明は、多くの異なる形態の実施形態で実現することができ、本発明の保護範囲は、本明細書で述べる実施形態に限定されない。
【００３４】
添付の図面において、構造的に同一のコンポーネントは、同じ符号で示されており、図面を通して構造的に又は機能的に類似のコンポーネントは、類似の符号が付与されている。本発明で言及される、「上」、「下」、「前」、「後ろ」、「左」、「右」、「内側」、「外側」、及び「側面」などの方向を表す用語は、単に前記図面中の方向であって、本発明を説明し、記載するために用いられるものであり、本発明の保護範囲を限定することを意図するものではない。
【００３５】
ある特定のコンポーネントが、別のコンポーネントの「上」にあるとして記載される場合、前記コンポーネントは、その他方のコンポーネントの上に直接配置されていてよく、又は前記コンポーネントが上に配置される中間コンポーネントが存在していてもよく、前記中間コンポーネントは、その他方のコンポーネントの上に配置される。コンポーネントが、別の要素に「装着されている」又は「接続されている」として記載される場合、いずれの場合も、直接「装着されている」若しくは「接続されている」として理解されてよく、又はコンポーネントは、中間コンポーネントを介して間接的に別のコンポーネントに「装着されている」若しくは「接続されている」状態であってもよい。
【００３６】
［第１実施形態]
図１〜４に示されるように、本実施形態は、ホルダー１、測定部品２、及び筐体３を備えるレーザー測距装置を提供する。前記測定部品２は、前記ホルダー１に固定接続されている。前記筐体３は、前記ホルダー１に、取り外し可能に接続されている。前記筐体３は、前記ホルダー１及び前記測定部品２を覆っている。前記筐体３と前記測定部品２との間には、ギャップが存在する。本実施形態では、前記測定部品２が位置する方向は、前端部である。前記筐体３を前記ホルダー１に対して分解する／組み立てるプロセスの過程で、前記筐体３と前記測定部品２との間には常にギャップが存在し、それらの接触は起こらない。
【００３７】
図５に示されるように、前記ホルダー１は、第一の装着用溝部１１、第二の装着用溝部１２、第三の装着用溝部１３、及び第四の装着用溝部１４を含む。前記第一の装着用溝部１１は、前記ホルダー１の前端部に配置され、前記第二の装着用溝部１２は、前記ホルダー１の後端部に配置されている。前記第三の装着用溝部１３及び前記第四の装着用溝部１４は、前記ホルダー１の側面上に平行に配列されている。
【００３８】
図６に示されるように、前記測定部品２は、前記第一の装着用溝部１１に固定装着され、前記第一の装着用溝部１１の形状は、前記測定部品２に適合されている。前記測定部品２は、レーザー距離計コアアセンブリ２１を備え、それは、レーザー発生デバイス２２及び光電変換デバイス２３を備えており、これらはいずれも、前記ホルダー１の前端部に配置され、同じ面上に存在する。
【００３９】
図１〜６に示されるように、この実施形態は、さらに、電池４、測定部品２、ディスプレイデバイス５、及びボタンスイッチ６を含む。
【００４０】
図４に示されるように、前記電池４は、前記ディスプレイデバイス５に電力を供給するために用いられる。この実施形態では、直列の２つの円筒型電池が、好ましくは取り外し可能に、前記第二の装着用溝部１２に装着されている。前記第二の装着用溝部１２は、電池パックの形状に適合された形状を有する。他の実施形態では、１又は複数の円筒型電池又はボタン電池が選択されてもよい。
【００４１】
図５〜６に示されるように、前記ディスプレイデバイス５は、前記第三の装着用溝部１３に配置され、前記測定部品２又は前記電池４と配線を通して接続されている。前記ディスプレイデバイス５は、好ましくは、前記コアアセンブリ２１によって測定された距離読み取り値を表示するための液晶ディスプレイ（ＬＣＤ）スクリーンである。前記第三の装着用溝部１３の形状は、前記ディスプレイデバイス５の筐体の形状に適合されており、前記ＬＣＤスクリーンは、外側に向いている。
【００４２】
前記ボタンスイッチ６は、前記第四の装着用溝部１４に配置され、前記測定部品２又は前記電池４と配線を通して接続されている。前記第四の装着用溝部１４の形状は、前記ディスプレイデバイス５の筐体の形状に適合されている。前記ボタンスイッチ６が押されると、前記電池４は、前記測定部品２及び前記ディスプレイデバイス５に電気を供給する。前記ディスプレイデバイス５及び前記ボタンスイッチ６は、横に並んで配列され、このことは、ユーザーが示度を制御し、読み取るのに都合が良い。
【００４３】
図７〜８に示されるように、前記第二の装着用溝部１２の前端部には、前記円筒型電池４の正極に電気接続されている金属接触部１２１が備えられている。金属リング１２２は、前記第二の装着用溝部１２の後端部に配置され、前記円筒型電池４の外側のスリーブとされ、前記円筒型電池４の負極に電気接続されている。前記コアアセンブリ２１には、電源モジュール２１１が備えられている。前記金属接触部１２１及び前記金属リング１２２は、前記コアアセンブリ２１に電力供給するために前記電源モジュール２１１及び前記電池４に直接又は間接的に電気接続された特別な形状の配線である。電源モジュール２１１は、前記ＬＣＤスクリーンに電力を供給するためのバス１２３を通して前記ディスプレイデバイス５に電気接続されている。前記ボタンスイッチ６は、前記測定部品２及び前記ディスプレイデバイス５のオン／オフを制御するために、前記電源モジュール２１１及び／又は前記電池４と配線を通して電気接続されている。
【００４４】
図６〜７に示されるように、前記ボタンスイッチ６が押されて作動状態とされると、前記測定部品２及び前記ディスプレイデバイス５は、同時に電力供給され、前記レーザー発生デバイス２２は、レーザービームを発して測定されるべき物体を照射する。光線は、前記物体の表面で反射され、前記光電変換デバイス２３に対して照射され、それによって、前記測定部品２の参照点と測定されるべき前記物体との間の距離が算出され、ユーザーが示度を読み取ることができるように前記ディスプレイデバイス５に表示される。
【００４５】
図４に示されるように、前記筐体３は、第一のケーシング３１、第二のケーシング３２、及び第三のケーシング３３を含む。前記第二のケーシング３２は、前記第一のケーシング３１の前端部に取り外し可能に接続され、前記第三のケーシング３３は、前記第一のケーシング３１の後端部に取り外し可能に接続されている。前記第二のケーシング３２は、前記測定部品２が装着されている前記第一の装着用溝部１１に対向して配置され、前記第三のケーシング３３は、前記電池４が装着されている前記第二の装着用溝部１２に対向して配置されている。
【００４６】
図４〜５及び図９に示されるように、前記第一のケーシング３１は、一体的に形成された管状構造体であり、その中に円筒形状キャビティを有し、前記第一のケーシング３１は、前記ホルダー１の外側のスリーブとされる。前記第一のケーシング３１の両端部は、それぞれ、第一の開口部３５及び第二の開口部３６を備えている。前記第一の開口部３５及び第二の開口部３６の断面形状及びサイズは、すべて前記第一のケーシングの内壁の断面形状及びサイズと一致している。前記第二のケーシング３２は、前記第一の開口部３５に取り外し可能に装着されている。ホルダーバッフル３７は、前記ホルダー１の後端部に配置され、前記第一のケーシング３１の外壁の断面と同じ又はそれに相当する形状を有する。前記ホルダー１の前端部は、前記第二の開口部３６を通して前記第一のケーシング３１に挿入され、その後端部は、前記第二の開口部３６の外側まで延び、前記第三のケーシング３３に取り外し可能に接続されている。
【００４７】
前記ホルダー１は、さらに、前記ホルダー１の外部側壁上に備えられ、両側に配置された２つの溝部１５も備える。前記第一のケーシング３１の内部側壁は、内向きに突出した両側にある２つのリブ３１１を備える。前記ホルダー１の前端部が前記第二の開口部３６を介して前記第一のケーシング３１に挿入されると、前記リブ３１１は、前記溝部１５にスライド可能に挿入され、前記ホルダーバッフル３７及び前記第二の開口部３６のエッジ部は、対向して配置され、互いに接する。一方、前記第二のケーシング３２は、前記第一の開口部３５を通して前記ホルダー１の他方の端部に固定される。前記第一のケーシング３１は、前記ホルダーバッフル３７と前記第二のケーシング３２との間に挟まれ、それによって、前記第一のケーシング３１及び前記ホルダー１がそれぞれ固定される。
【００４８】
図９に示されるように、前記第一のケーシング３１は、第一の溝部３１２、第一の貫通孔３１３、及び第二の貫通孔３１４を含む。前記第一の溝部３１２は、前記第一のケーシング３１の一方の側の表面上の凹みであり、前記第一のケーシング３１の前記第一の溝部３１２の位置は、前記ホルダー１上の前記ディスプレイデバイス５及び前記ボタンスイッチ６に対応している。前記第一の貫通孔３１３及び前記第二の貫通孔３１４は、それぞれ、前記第一の溝部３１２の底面を貫通しており、前記第一の貫通孔３１３は、前記ディスプレイデバイス５に対向して配置され、前記ボタンスイッチ６の一部分は、前記第二の貫通孔３１４を貫通しており、それによって、前記ディスプレイデバイス５及び前記ボタンスイッチ６は、ユーザーが操作するために前記第一のケーシング３１の表面の同じ側に露出可能となる。本発明の他の実施形態では、前記ディスプレイデバイス５及び前記ボタンスイッチ６は、前記第一のケーシング３１の外側に配置され得る。前記第一のケーシング３１には、接続配線を通すことができる貫通孔があることだけが必要である。
【００４９】
この実施形態は、さらに、前記第一の溝部３１２に装着された透明カバー３４を含む。前記透明カバー３４は、前記第一の貫通孔３１３に対向して配置された部分を有し、前記透明カバー３４は、前記ディスプレイデバイス５を保護する。ユーザーは、前記透明カバー３４をとして前記ディスプレイデバイス５の示度を読み取ることができる。
【００５０】
図５及び９に示されるように、前記透明カバー３４の一方の端部は、前記第二の貫通孔３１４に対向して配置されたカバー貫通孔３４１を備えている。前記ボタンスイッチ６は、一体的に形成されたスイッチベース６１及びボタン６２を含む。前記スイッチベース６１は、前記第四の装着用溝部１４に配置されている。前記ボタン６２は、前記第二の貫通孔３１４及び前記カバー貫通孔３４１を順に貫通して、ユーザーが押し易いように、前記第一のケーシング３１の外側に露出されている。スイッチ接触部６３は、前記スイッチベース６１の下に配置され、前記測定部品２の前記電源モジュール２１１に電気接続されている。前記ボタンスイッチ６２を押すことで、前記電池４を、前記測定部品２及び前記ディスプレイデバイス５の電源をオン又はオフとするように制御することができる。
【００５１】
図１０〜１１に示されるように、本実施形態では、前記第二のケーシング３２は、第二のケーシング本体３２１、第三の貫通孔３２２、及び第四の貫通孔３２３を含む。
【００５２】
前記測定部品２の前記レーザー発生デバイス２２は、前記第一の開口部２５に向いている第一のレーザーポート２２１を備える。前記光電変換デバイス２３は、前記第一の開口部２５に向いている第二のレーザーポート２２２を備える。前記第三の貫通孔３２２は、前記第二のケーシング本体３２１を貫通し、前記第一のレーザーポート２２１に対向して配置されている。前記第四の貫通孔３２３は、前記第二のケーシング本体３２１を貫通し、前記第二のレーザーポート２２２に対向して配置されている。前記第三の貫通孔３２２及び前記第四の貫通孔３２３は、前記レーザー発生デバイス２２から発せられたレーザービームが、測定されるべき物体を確実に照射でき、反射ビームが、前記光電変換デバイス２３を確実に照射できるように、前記レーザービームのための経路を提供するために用いられる。
【００５３】
前記第二のケーシング３２は、前記第二のケーシング本体３２１の一方の側の表面から突出している第一のロッキングブロック３２４を含む。前記第一のロッキングブロック３２４は、環状ロッキングブロックであり、弾性材料から作られている。前記第一のロッキングブロック３２４は、前記第一のケーシング３１の前端部の前記第一の開口部３５にロックされている。前記第一のロッキングブロック３２４の外壁の断面形状は、前記第一のケーシング３１の内壁の断面形状に適合されている。第二の溝部３２５は、前記第一のロッキングブロックと前記第二のケーシング本体３２１とによって囲まれた領域に形成されている。前記測定部品２の前端部の前記レーザー発生デバイス２２及び前記光電変換デバイス２３は、第二の溝部３２５に挿入されている。
【００５４】
前記第一のロッキングブロック３２４は、２つの差し込み部３２６を備えている。前記リブ３、前記コアアセンブリ２１、及び／又は前記第一のケーシング３１の内部の前記ホルダー１の前端部は、前記差し込み部３２６中に挿入可能であり、それによって、前記第二のケーシング３２を、変位又は回転を起こすことなく、前記第一のケーシング３１の中に配置することができる。
【００５５】
前記ホルダー１の前端部は、前記第二のケーシング３２に対向して配置されたホルダーネジ孔１８を備えている。前記第二のケーシング３２は、前記第二のケーシング本体３２１を貫通し、前記ホルダーネジ孔１８に対向して配置された第五の貫通孔３２９を備えている。本実施形態は、さらに、前記第五の貫通孔３２９を通して前記ホルダーネジ孔１８とネジ接続されたネジ３８を含み、前記ネジ３８によって、前記第二のケーシング３２を都合良く及び素早く前記第一のケーシング３１に固定可能となる。
【００５６】
図１２〜１３に示されるように、前記第三のケーシング３３は、第三のケーシング本体３３１、第三の溝部３３２、及び弾性部材３３３を含む。前記第三の溝部３３２は、前記第三のケーシング本体３３１の一方の側に、ノッチ方向が前記第一のケーシング３１に向くように配置されている。前記第三のケーシング３３の内径及び外径のサイズは、前記第一のケーシング３１と同じである。前記弾性部材３３３は、前記第三の溝部３３２の底に配置されている。前記弾性部材３３３は、両端の直径が異なるコイルバネであり、前記第三の溝部３３２の底に接続されている。
【００５７】
前記第三のケーシング３３は、前記ホルダー１に、取り外し可能に接続されている。好ましくは、前記ホルダー１の後端部は、前記ホルダーバッフル３７の近傍に突出した雄型コネクタ１６を備えている。雌型コネクタ３３４は、前記第三の溝部３３２のノッチに配置されている。前記雄型コネクタ１６は、前記雌型コネクタ３３４にネジ止めされている。前記雄型コネクタ１６は、前記第二の装着用溝部１２と連結されているコネクタキャビティ１７を備えている。前記電池４は、前記コネクタキャビティ１７によって、前記第二の装着用溝部１２に挿入される。
【００５８】
前記第三のケーシング３３が前記ホルダー１に接続された後、前記弾性部材３３３の直径が小さい方の端部は、前記コネクタキャビティ１７を通して前記第二の装着用溝部１２にある前記電池４に接続され、直径が大きい方の端部は、前記第三の溝部３３２の底に固定される。前記弾性部材３３３は、前記電池４の負極を支持するために用いられ、それによって、前記電池４の正極は、前記金属接触プレート１２１と密接に接触し、前記電池の両端部間の良好な接触が確保される。前記金属リング１２２は、前記弾性部材３３３と電気接続されていることから、前記金属リング１２２は、前記電池４の負極とも接続されている。
【００５９】
この実施形態では、前記ホルダー１は、細長形状であり、前記筐体３の形状は、まっすぐな円筒形状であり、前記筐体３の２つ以上の断面の形状及びサイズは同じである。前記断面は、前記まっすぐな円筒形筐体の中心軸線に対して垂直である。前記筐体３の断面は、好ましくは、丸みを帯びた三角形である。他の実施形態では、前記筐体３の断面は、円形、楕円形、丸みを帯びた四角形、又は丸みを帯びた多角形であってもよい。前記丸い又は丸みを帯びた構造設計により、前記筐体３をユーザーが持ち易くなり、手触りが向上されて、ユーザーの手から滑り落ちることが防止される。前記筐体３の材料は、アルミニウム合金、プラスチック、ナイロン材料、又は炭素繊維材料であり、これらは、軽量、堅さ及び強靭性、並びに低コストという利点を有する。
【００６０】
この実施形態では、前記測定部品２及び前記ディスプレイデバイス５は、測定ディスプレイ部品を形成し、これは、重要な機能コンポーネントである。レーザー測距機能及び表示効果を確保するために、前記測定ディスプレイ部品は、大きい空間を占める必要がある。前記測定部品２は、より小さいサイズのコアアセンブリを用い、好ましくは、長さ３９ｍｍ、幅１６ｍｍ、高さ１０ｍｍの小型コアアセンブリを用いる。本発明において、前記測定ディスプレイ部品の断面高さは、１０〜１２ｍｍの範囲内であり、前記測定ディスプレイ部品の断面幅は、１５〜１７ｍｍの範囲内であり、前記測定ディスプレイ部品の長さは、３９〜４５ｍｍの範囲内である。前記測定ディスプレイ部品は、レーザー測距機能及び上記のサイズ範囲内のディスプレイ効果を確保することができ、強固な製品機能を確保することができる。
【００６１】
製品品質を確保するために、したがって、前記製品がある特定の度合いの堅さ及び耐ショック性能を有することを確保するために、前記筐体３は、ある特定の厚さを有する必要があり、前記筐体３及び前記ホルダー１が、両者の間にある特定のギャップを維持することも必要である。
【００６２】
前記筐体３の断面高さは、１４〜２２ｍｍの範囲内であり、前記筐体３の断面幅は、１８〜２５ｍｍの範囲内である。前記筐体３の断面が円形である場合、前記筐体３の断面の直径は、１８〜２８ｍｍの範囲内である。前記筐体３の断面が楕円形、丸みを帯びた三角形、丸みを帯びた四角形、又は丸みを帯びた多角形である場合、前記筐体３の断面の内接円の直径は、１８〜２０ｍｍの範囲内であり、前記筐体３の断面の外接円の直径は、２０〜２８ｍｍの範囲内である。前記電池がボタン電池である場合、前記筐体３の長さは、６５〜７０ｍｍの範囲内である。前記電池４が円筒型電池である場合、前記筐体３の長さは、９５〜１４０ｍｍの範囲内である。前記電池４が１つの円筒型電池である場合、前記筐体３の長さは９５ｍｍである。前記電池４が２つの円筒型電池である場合、前記筐体３の長さは、１４０ｍｍである。前記筐体３が上記範囲内のサイズである場合、前記製品が良好な耐ショック性能及び手触りを有し、並びに分解及び組立が容易であることを確保することができる。
【００６３】
前記測定ディスプレイ部品の断面幅の前記筐体３の断面幅に対する比は、０．６〜０．８の範囲内であり、前記測定ディスプレイ部品の断面高さの前記筐体３の断面高さに対する比は、０．６〜０．８の範囲内であり、前記測定ディスプレイ部品の断面積の前記筐体３の断面積に対する比は、０．６７〜０．８の範囲内である。
【００６４】
前記測定ディスプレイ部品及び前記筐体３は、レーザー測距機能及び上述のサイズ範囲内のディスプレイ効果を確保することができ、強固な製品機能を確保することができる。コアコンポーネントとして、前記コアアセンブリは、占有空間がより小さく、それに対応する前記筐体のサイズも比較的小さく、それによって、前記製品全体を、占有空間を低減するためにできる限り小さくすることができ、本発明の製品の運搬が容易となる。
【００６５】
本発明に従うレーザー測距装置は、前記筐体３の外部表面を部分的に又は完全に覆ってよいシース７をさらに含んでもよい。具体的には、前記シース７は、前記第一のケーシング３１の外部表面を部分的に又は完全に覆ってよく、及び／又は前記第二のケーシング３２の外部表面を部分的に又は完全に覆ってよく、及び／又は前記第三のケーシング３３の外部表面を部分的に又は完全に覆ってよい。前記シース７は、一般的に、弾性材料から作られ、手触りを向上させることができ、このことによって、ユーザーが持ち易く、前記レーザー測距装置が滑り落ちることを防止することができる。たとえ滑り落ちてしまった場合であっても、前記レーザー測距装置の前記筐体３が前記シース７で覆われていることにより、ある程度の緩衝効果も提供されて、前記製品が損傷することを有効に防止することができる。この実施形態では、前記シースは、好ましくは、前記第二のケーシング３２の外側に備えられるものであり、図１０を参照されたい。
【００６６】
この実施形態の技術的効果は、前記組立プロセス時に、前記リブ３１１及び前記溝部１５をまず用いることによって前記ホルダー１を前記第一のケーシング３１の中へスライドさせることができ、並びに次に、前記第二のケーシング３２が、前記第一のロッキングブロック３２４及び前記第二のロッキングブロック３２８を通して前記第一のケーシング３１の一方の端部に取り付けられ、並びに前記第三のケーシング３３が、前記第一のケーシング３１の他方の端部で前記ホルダー１にネジ止めされることにある。前記組立プロセス全体の作業は、容易に素早く行われる。分解時、作業は、反対モードで実施され、すなわち、前記第二のケーシング３２及び前記第三のケーシング３３が、前記第一のケーシング３１の両端部から取り外され、前記電池４が取り外され、次に前記ホルダー１が、前記第一のケーシングから取り外される。作業者又はメンテナンススタッフは、分解及び組立のプロセス全体において、前記測定部品２に触る必要はない。前記測定部品２は、常に前記ホルダー１に固定されており、それによって、前記測定部品２の測距精度は、工場で調節された精度と常に同じである。
【００６７】
この実施形態の別の技術的効果は、前記測定部品２、前記電池４、前記ディスプレイデバイス５、及び前記ボタンスイッチ６などの本実施形態の主要な動作コンポーネントすべてが、前記ホルダー１中に固定装着されており、前記筐体３は、前記ホルダー１を支持し、固定するために必要とされるだけであり、他のいかなる部品も、前記筐体３によって支持及び固定される必要がないことである。したがって、先行技術と比較すると、前記筐体３の内部構造が単純化されている。前記筐体３は、単純な形状の複数のコンポーネントから構成することができる。前記筐体３の製造プロセス全体も、単純化することができ、それによって、製造コストを低減し、製造効率を向上させ、生産性を高めることができる。
【００６８】
この実施形態の別の技術的効果は、前記実施形態に従う前記レーザー測距装置の全体サイズが小さいこと、構造がコンパクトであること、携帯性が高いこと、並びに耐ショック性能及び手触りが良好であることにある。
【００６９】
［第２実施形態］
図１４〜１５に示されるように、この実施形態の技術的解決手段は、第１実施形態の技術的解決手段のほとんどを含むが、但し、第２実施形態では、前記第二のケーシング３２は、ネジ構造を含まず、第一のロッキングブロック３２４及び第二のロッキングブロック３２８を含む。
【００７０】
前記第二のケーシング３２は、前記第二のケーシング本体３２１の一方の側の表面から突出し、前記第一のケーシング３１の前端部の前記第一の開口部３５の内部にロックされた第一のロッキングブロック３２４を含む。前記第一のロッキングブロック３２４の外壁の断面形状は、前記第一のケーシング３１の内壁の断面形状に適合されている。前記第一のロッキングブロック３２４は、弾性材料から作られ、前記第二の溝部３２５は、前記第一のロッキングブロックと前記第二のケーシング本体３２１とによって囲まれた領域に形成され、前記測定部品２の前端部の前記レーザー発生デバイス２２及び前記光電変換デバイス２３は、第二の溝部３２５に挿入されている。
【００７１】
前記第一のロッキングブロック３２４は、２つの差し込み部３２６を備えている。前記第一のケーシング３１の内部の前記ホルダー１の前端部は、前記差し込み部３２６中に挿入可能であり、それによって、前記第二のケーシング３２を、変位又は回転を起こすことなく、前記第一のケーシング３１上に配置することができる。
【００７２】
１又は複数のロッキング溝部３２７が、前記第一のケーシング３１の前端部の内部側壁上に、又は前記ホルダー１の前端部上に備えられている。１又は複数の第二のロッキングブロック３２８は、前記第二のケーシング本体３２１の一方の側の表面から突出して備えられている。前記第二のロッキングブロック３２８は、それぞれ、溝部３２７の各々にロックされる。前記第一のロッキングブロック３２４及び前記第二のロッキングブロック３２８は、互いに協働して、前記第二のケーシングを前記第一のケーシング３１の前記第一の開口部３５に取り外し可能に接続する。
【００７３】
この実施形態の他の技術的特徴は、第１実施形態と同じであり、詳細をここで再度記載することはしない。
【００７４】
この実施形態の技術的効果は、前記第二のケーシング３２及び前記第一のケーシング３１を、工具なしで容易に素早く取り外し及び組み立てることができるように、別の新規な筐体接続方法を提供することであり、前記第二のケーシング３２の構造をさらに単純化することができ、加工の困難さをさらに低減することができ、及び製造プロセスを単純化することができる。
【００７５】
［第３実施形態］
図１６〜１７に示されるように、この実施形態の技術的解決手段は、第１実施形態の技術的特徴のほとんどを含む。これらの間の相違は、第３実施形態において、前記第三の溝部３３２の深さが大きくなっていることにあり、したがって、１又は複数の電池をさらに追加して、前記第二の装着用溝部１２にある前記電池４と直列に接続することができる。
【００７６】
前記第三のケーシング３３は、第三のケーシング本体３３１、第三の溝部３３２、及び弾性部材３３３を含む。前記第三の溝部３３１は、前記第三のケーシング本体３３１の一方の側に、ノッチ方向が前記第一のケーシング３１に向くように配置されている。前記第三の溝部３３１の内径及び外径のサイズは、前記第一のケーシング３１と同じである。
【００７７】
この実施形態では、前記第二の装着用溝部１２にある前記電池４は、単一の電池であってよく、又は互いに直列に接続された２つ以上の電池であってもよい。さらに、本実施形態は、前記第三の溝部３３２に取り外し可能に備え付けられた第二の電池８をさらに含む。前記第二の電池８の一方の端部（正極）は、前記ホルダー１にある前記電池４に直列に接続され、他方の端部（負極）は、弾性部材３３３に接続される。前記第二の電池８は、単一の電池であってよく、又は互いに直列に接続された２つ以上の電池を有する電池パックであってもよい。この実施形態において、前記第二の電池８は、好ましくは円筒型電池である。他の実施形態では、前記第二の電池８は、１又は複数のボタン電池であってもよい。
【００７８】
前記弾性部材３３３は、前記第三の溝部３３２の底に配置されている。前記弾性部材３３３は、両端の直径が異なるコイルバネである。直径が大きい方の端部は、前記第三の溝部３３２の底に接続固定され、一方直径が小さい方の別の端部は、前記第二の電池８に接続される。他の実施形態では、前記弾性部材３３３は、両端の直径が同じであるコイルバネであってもよい。
【００７９】
前記ホルダー１の後端部は、突出した雄型コネクタ１６を備えている。雌型コネクタ３３４は、前記第三の溝部３３２のノッチに配置されている。前記雄型コネクタ１６は、前記雌型コネクタ３３４に取り外し可能に接続されている。この実施形態では、前記雄型コネクタ１６の外部側壁上に１セットのネジ山が備えられ、前記雌型コネクタ３３４の内部側壁上にも１セットのネジ山が備えられている。これら２セットのネジ山は、対応する形状及びサイズを有し、前記雄型コネクタ１６は、前記雌型コネクタ３３４の中にネジ止めすることができる。他の実施形態では、前記雄型コネクタ１６と前記雌型コネクタ３３４とは、他の取り外し可能な構造を用いて互いに接続されていてもよい。
【００８０】
前記雄型コネクタ１６は、コネクタキャビティ１７に作り付けられており、前記雄型コネクタ１６の一方の端部は、前記第二の装着用溝部１２に接続され、前記雄型コネクタ１６の他方の端部は、前記第三の溝部３３２に接続されている。前記第二の装着用溝部１２、前記コネクタキャビティ１７、及び前記第三の溝部３３２は、同じ直線上に位置して互いに連結されており、それによって、これら３つは、完全な電池装着用溝部となる。複数の電池を、端から端まで互いに直列に接続することができる。前記第三のケーシング３３が前記第一のケーシング３１に接続された後、前記第二の電池８は、前記コネクタキャビティ１７を通して前記第二の装着用溝部１２にある前記電池４と接続される。
【００８１】
前記第三のケーシング３３が前記第一のケーシング３１に接続された後、前記弾性部材３３３は、前記第二の電池８の負極を支持するために用いられ、それによって、前記電池４の正極は、前記金属接触部１２１と密接に接触した状態となり、前記第二の電池８の負極と前記弾性部材３３３とは、密接に接続されて、前記電池パック全体の両端部が良好に接触した状態となることが確保される。前記金属リング１２２は、前記弾性部材３３３と電気接続されていることから、前記金属リング１２２は、前記第二の電池８の負極とも接続されている。
【００８２】
本実施形態の技術的効果は、前記第一のケーシング３１の長さを減少させ、加工の困難さを低減し、製造プロセスを単純化するために、前記第三のケーシング３３に電池を配置するための解決手段を提供することである。同時に、本実施形態では、複数の電池を同時に配列することができ、そのことは、高出力レーザー測距装置への適用を可能とし、手触りを向上させることができ、それは、より多くの状況において好適である。
【００８３】
上記は、単に本発明の好ましい実施形態であり、当業者であれば、本発明の原理から逸脱することなく、上記の技術的解決手段に対して改善及び改変を成すことができ、これらの改善及び改変も、本発明の範囲内であるとして見なされるべきである。
【図１】
2021502567.tif 000003
【図２】
2021502567.tif 000004
【図３】
2021502567.tif 000005
【図４】
2021502567.tif 000006
【図５】
2021502567.tif 000007
【図６】
2021502567.tif 000008
【図７】
2021502567.tif 000009
【図８】
2021502567.tif 000010
【図９】
2021502567.tif 000011
【図１０】
2021502567.tif 000012
【図１１】
2021502567.tif 000013
【図１２】
2021502567.tif 000014
【図１３】
2021502567.tif 000015
【図１４】
2021502567.tif 000016
【図１５】
2021502567.tif 000017
【図１６】
2021502567.tif 000018
【図１７】
2021502567.tif 000019
【国際調査報告】
2021502567.tif 000020
2021502567.tif 000021
2021502567.tif 000022
2021502567.tif 000023
2021502567.tif 000024
2021502567.tif 000025